(57)【要約】【課題】手持ち式電気器具のための付属品、特にヘアケア電気器具のための付属品、及び電気器具、特にそのような付属品を含むヘアケア電気器具を提供する。【解決手段】開示するのは、ヘアケア電気器具であり、これは、本体と、流体流れが電気器具に入る入口から流体流れを本体の前端から放出するための出口まで本体を通って延びる流体流路と、電気器具へ取り付けるための上流端を含み、電気器具から放出される流体の少なくとも１つのパラメータを調節するための付属品とを含み、本体の前端及び付属品の上流端の一方又は両方は、少なくとも１つの磁石を含む。前端は、本体の半径方向内向きに延びる端壁を含むことができ、端壁は、少なくとも１つの磁石又は端壁の周りに放射状に離間した複数の磁石又は端壁の周りに延びる磁性材料のリングを含む。上流端は、端面と端面の周りに放射状に離間した複数の磁石とを含むことができる。【選択図】図１５
2020099758.tif 000002
【特許請求の範囲】
【請求項１】
ヘアケア電気器具であって、
本体と、
流体流れが電気器具に入る流体入口から該流体流れを前記本体の前端から放出するための流体出口まで該本体を通って延びる流体流路と、
電気器具へ取り付けるための上流端を含み、電気器具から放出される流体の少なくとも１つのパラメータを調節するための付属品と、
を含み、
前記本体の前記前端及び前記付属品の前記上流端の一方又は両方が、少なくとも１つの磁石を含む、
ことを特徴とする電気器具。
【発明の詳細な説明】
【技術分野】
【０００１】
本発明は、手持ち式電気器具のための付属品、特にヘアケア電気器具のための付属品、及び電気器具、特にそのような付属品を含むヘアケア電気器具に関する。
【背景技術】
【０００２】
送風機及び特に温風送風機は、塗料又は毛髪のような物質の乾燥及び表層の清掃又ははぎ取りのような様々な用途に対して使用される。これに加えて、温風整髪ブラシのような温風送風機は、髪を濡れた又は乾いた状態から整髪するのに使用される。
【０００３】
一般的に、流体を本体内へ引き込むモーター及びファンが設けられ、流体は、本体から出る前に加熱することができる。モーターは、ほこり又は毛髪のような異物によって損傷し易く、従って、従来より、フィルタが送風機の流体取入端に設けられる。従来より、そのような電気器具には、電気器具に取り付けられてそこから取り外すことができ、かつ電気器具を出る流体流れの形状及び速度を変更するノズルが設けられる。そのようなノズルは、その時点のユーザの要求に応じて電気器具の流出を集束させるか又は流出を拡散させるのに使用することができる。
【発明の概要】
【課題を解決するための手段】
【０００４】
第１の態様により、本発明は、本体と、流体流れが電気器具に入る流体入口から流体流れを本体の前端から放出するための流体出口まで本体を通って延びる流体流路と、電気器具へ取り付けるための上流端を含み、電気器具から放出される流体の少なくとも１つのパラメータを調節するための付属品とを含むヘアケア電気器具を提供し、本体の前端及び付属品の上流端の一方又は両方は、少なくとも１つの磁石を含む。
【０００５】
本体の前端は、本体の半径方向内向きに延びる端壁を含み、端壁は、少なくとも１つの磁石を含むことが好ましい。
【０００６】
端壁は、この端壁の周りに放射状に離間した複数の磁石を含むことが好ましい。
【０００７】
本発明は、本体と、流体流れが電気器具に入る流体入口から流体流れを本体の前端から放出するための流体出口まで本体を通って延びる流体流路と、電気器具へ取り付けるための上流端を含み、電気器具から放出される流体の少なくとも１つのパラメータを調節するための付属品とを含むヘアケア電気器具を提供し、本体の前端は、本体の半径方向内向きに延びる端壁を含み、端壁は、この端壁の周りに放射状に離間した複数の磁石を含み、付属品の上流端は、少なくとも１つ磁石を含む。
【０００８】
端壁は、この端壁の周りに延びる磁性材料のリングを含むことが好ましい。
【０００９】
端壁は、外面及び内面を含み、外面は、電気器具の外部表面であり、少なくとも１つの磁石は、内面に隣接することが好ましい。
【００１０】
少なくとも１つの磁石は、端面内に埋めることが好ましい。
【００１１】
付属品の上流端は、端面と、この端面の周りに放射状に離間した複数の磁石とを含むことが好ましい。
【００１２】
付属品の上流端は、端面の周りに延びる磁性材料のリング含むことが好ましい。
【００１３】
磁石又は磁性材料は、磁性薄片を含むポリマーから作ることが好ましい。
【００１４】
磁石又は磁性材料の外部表面は、傷防止コーティングで覆うことが好ましい。
【００１５】
電気器具は、主流体流れが電気器具に入る主流体入口から主流体出口まで少なくとも部分的に本体を通って延びる主流体流路を含むことが好ましい。
【００１６】
本発明は、本体と、主流体流れが電気器具に入る主流体入口から主流体出口まで少なくとも部分的に本体を通って延びる主流体流路を含み、流体流れが電気器具に入る流体入口から流体流れを本体の前端から放出するための流体出口まで本体を通って延びる流体流路と、電気器具へ取り付けるための上流端を含み、電気器具から放出される流体の少なくとも１つのパラメータを調節するための付属品とを含むヘアケア電気器具を提供し、本体の前端及び付属品の上流端の一方又は両方は、少なくとも１つの磁石を含む。
【００１７】
電気器具は、ハンドルを含み、主流体入口は、ハンドル内にあることが好ましい。
【００１８】
流体は、主流体出口から放出される流体によって流体流路を通って引き込まれることが好ましい。
【００１９】
主流体流れは、ダクトの周りに延びることが好ましい。
【００２０】
本体は、外壁と、外壁内で延びるダクトとを含むことが好ましい。
【００２１】
本発明は、外壁及び外壁内で延びるダクトを有する本体と、流体流れが電気器具に入る流体入口から流体流れを本体の前端から放出するための流体出口までダクト通って延びる流体流路と、電気器具に取り付けるための上流端を含み、電気器具から放出される流体の少なくとも１つのパラメータを調節するための付属品とを含むヘアケア電気器具を提供し、本体の前端及び付属品の上流端の一方又は両方は、少なくとも１つの磁石を含む。
【００２２】
付属品は、電気器具からの流体流れの放出を抑制するように構成することが好ましい。付属品は、流体流路に沿って流体出口まで至る流体流れの発生を抑制する手段を有することが好ましい。流体流れの発生を抑制する手段は、付属品を電気器具に装着した時に実質的にダクトを塞ぐ障壁を含むことが好ましい。
【００２３】
付属品は、主流体流れがノズルに入るノズル流体入口から主流体流れを放出するためのノズル流体出口まで延びるノズル流体流路を形成するノズルの形態であることが好ましい。
【００２４】
付属品は、本体の前端での本体のプロフィールに実質的に連続する外壁を有することが好ましい。
【００２５】
本体の直径は、本体の前端に向けて減少することが好ましい。直径の減少は、一定の勾配を有することが好ましい。
【００２６】
電気器具は、本体と、流体流れが電気器具に入る流体入口から流体流れを本体の前端から放出するための流体出口まで本体を通って延びる流体流路とを含み、本体の前端は、少なくとも１つの磁石を含むことが好ましい。
【００２７】
本体の前端は、本体の半径方向内向きに延びる端壁を含み、端壁は、少なくとも１つの磁石を含むことが好ましい。
【００２８】
端壁は、この端壁の周りに放射状に離間した複数の磁石を含むことが好ましい。
【００２９】
端壁は、この端壁の周りに延びる磁性材料のリングを含むことが好ましい。
【００３０】
本発明はまた、電気器具に取り付けるための上流端を含んで電気器具から放出される流体の少なくとも１つのパラメータを調節するための付属品を提供し、付属品の上流端は、少なくとも１つの磁石を含む。
【００３１】
第２の態様により、本発明は、外壁を含む本体と、外壁及び外壁内に配置された壁を含むハンドルとを含むヘアケア電気器具を提供し、本体の外壁及びハンドルの壁は、単一ユニットとして形成される。
【００３２】
本体及びハンドルの壁を単一ユニットとして形成することには、いくつかの利点がある。第１に、電気器具の少なくとも一部の構成要素へのアクセスがより困難になる。従来のヘアドライヤーではクラムシェル構成が使用され、２つの部分は、通常は互いにネジ留めされる。ユーザは、比較的容易にネジを除去して加熱器及びファンユニットにアクセス可能である。本発明では、取外し可能な接合部又はネジがないので、ユーザが製品を分解することがより困難になる。第２に、製品が視覚的によりきれいである。本体の長さに沿って延びる接合線がなく、本体には２つの部分を接続するのに必要になると考えられる凹部又は延長部がない。
【００３３】
壁は、壁に少なくとも部分的に沿ってかつその周りに延びるアクセス開口を含むことが好ましい。
【００３４】
壁は、アクセス開口を閉じるためのハッチを含むことが好ましい。
【００３５】
ハンドルは、本体からのハンドルの遠位端に及び／又はその近くに配置された主流体入口を含むことが好ましい。主流体入口は、少なくとも部分的にハンドルの周りにかつそれに沿って延びることが好ましい。主流体入口は、外壁の周りに延びる少なくとも１つの開口を含むことが好ましい。主流体入口は、外壁に沿って延びる少なくとも１つの開口を含むことが好ましい。主流体入口は、外壁を横切って延びる少なくとも１つの開口を含むことが好ましい。
【００３６】
ハンドルは、主流体入口からハンドルに沿って本体の中に延びる主流体流路を含むことが好ましい。主流体流路は、壁内の主流体入口から本体まで延びることが好ましい。
【００３７】
ハンドルは、ファンユニットを含み、ファンユニットは、流体を主流体流路の中に引き込むことが好ましい。
【００３８】
本体は、主流体流路のための主流体出口を含むことが好ましい。主流体出口は、主流体入口及び主流体流路と流体連通することが好ましい。
【００３９】
本体は、第１の端部及び第２の端部を含み、主流体出口は、第２の端部にあることが好ましい。
【００４０】
本体は、本体の外壁内で延びるダクトを含み、ダクトは、第１の端部から延びることが好ましい。
【００４１】
主流体流路は、本体の外壁とダクトの間を延びることが好ましい。主流体流路は、主流体出口まで延びることが好ましい。主流体流路は、ダクトの周りに延びることが好ましい。主流体流路は、少なくとも部分的にダクトに沿って延びることが好ましい。ダクトは、少なくとも部分的に本体に沿って延びることが好ましい。
【００４２】
ダクトは、本体を通って延びる流体流路を形成することが好ましい。流体流路は、流体入口から流体出口まで延びることが好ましい。流体流路は、ダクト内で延びることが好ましい。流体流路は、本体内への流体入口からダクトを通って本体からの流体出口まで延びることが好ましい。
【００４３】
ダクトは、流体流路の周りに延びることが好ましい。流体流路は、ダクトを通って延びることが好ましい。本体を通って延びるダクトは、流体出口を形成することが好ましい。流体流路は、流体出口によって本体から出ることが好ましい。流体流路は、ダクトを通って設けることが好ましい。
【００４４】
流体入口は、本体の第１の端部にあることが好ましい。
【００４５】
流体流路は、本体内で主流体流路と合流することが好ましい。
【００４６】
これに代えて、主流体流路は、本体の第２の端部で流体流路を取り囲む。主流体流路内の流体は、主流体出口によって本体から出る。
【００４７】
ダクトは、ダクトと外壁の間を延びる側壁によって本体の外壁に接続することが好ましい。側壁は、本体の外壁及びダクトの両方に対して角度を成すことが好ましい。側壁は、本体の第１の端部に配置されることが好ましい。ダクト及び側壁は、単一ユニットとして形成することが好ましい。ダクト及び側壁は、プラスチック材料から作ることが好ましい。側壁は、少なくとも部分的に流体流路への流体入口を形成することが好ましい。
【００４８】
ハンドルの外壁は、壁の周りにかつ部分的に壁に沿って延びることが好ましい。ハンドルの外壁は、壁内へアクセスハッチの上を延びることが好ましい。
【００４９】
ハンドルの外壁は、壁の周りに実質的に壁の全長にわたって延びることが好ましい。ハンドルの壁は、主流体入口を含むことが好ましい。ハンドルの外壁の主流体入口は、ハンドルの壁の主流体入口と流体連通することが好ましい。
【００５０】
本体の外壁及びハンドルの壁は、プラスチック材料から作ることが好ましい。
【００５１】
ハンドルの外壁は、ハンドルの壁及び本体の外壁とは異なる材料で作ることが好ましい。外壁は、金属から作ることが好ましい。ハンドルの外壁は、アルミニウム又はアルミニウム合金から作ることが好ましい。
【００５２】
本体は、加熱器を含むことが好ましい。加熱器は、主流体流路内の流体を加熱するためのものである。加熱器は、外壁とダクトの間に設けることが好ましい。主流体流路は、加熱器を通って延びることが好ましい。加熱器は、本体に沿って延びることが好ましい。加熱器は、少なくとも部分的に本体の周りに延びることが好ましい。これに代えて、加熱器は、本体の周りに延びる。加熱器は、少なくとも部分的にダクトの周りに延びることが好ましい。これに代えて、加熱器は、ダクトの周りに延びる。加熱器は、少なくとも部分的にダクトに沿って延びることが好ましい。加熱器は、環状であることが好ましい。
【００５３】
第３の態様により、本発明は、ダクトと、ダクトの周りに延びる外壁と、ダクトと外壁の間を延びる側壁とを有する本体を含むヘアケア電気器具を提供し、側壁上には制御スイッチが設けられ、外壁、側壁、及びダクトは、全て電気器具の外部壁である。
【００５４】
本体は、入口端及び出口端を有し、側壁は、入口端にあることが好ましい。
【００５５】
ダクトは、本体を通る流体流路を少なくとも部分的に形成することが好ましい。ダクトは、入口端で外壁内の凹所に置くことが好ましい。
【００５６】
ハンドルは、本体に第１の端部で接続することが好ましい。ハンドルには、第２の制御スイッチを設けることが好ましい。第２の制御スイッチは、ハンドル上に本体の入口端に隣接して位置付けられることが好ましい。
【００５７】
第１の制御スイッチ及び第２の制御スイッチは、両方とも１本の指でアクセス可能であることが好ましい。
【００５８】
第２の制御スイッチは、２つのボタンを含むことが好ましい。
【００５９】
ハンドルは、ほぼ管状であり、ハンドルは、本体に対する遠位端で主流体入口を含むことが好ましい。ハンドルは壁を含み、ハンドルは、遠位端で壁を横切って延びる端壁を含むことが好ましい。主流体入口は、少なくとも部分的に端壁を横切って延びることが好ましい。
【００６０】
電気器具は、一端で電源に接続可能であり、かつ他端で実質的にハンドルの端壁の中心まで延びる電力ケーブルを含むことが好ましい。
【００６１】
ハンドルは外壁を含み、外壁は、少なくとも部分的に壁に沿ってかつその周りに延びることが好ましい。
【００６２】
外壁と壁の間に裏張り材料を設けることが好ましい。裏張り材料は、絶縁層であることが好ましい。裏張り材料又は絶縁層は、実質的に壁に連続して沿って及び／又はその周りに延びることが好ましい。
【００６３】
主流体出口は、少なくとも部分的にダクトによって形成されることが好ましい。主流体出口は、本体及びダクトによって形成されることが好ましい。
【００６４】
主流体出口は、流体流路の周りに延びることが好ましい。本体は、流体流路のための流体出口を含み、主流体出口は、流体出口の周りに延びることが好ましい。
【００６５】
主流体出口は、本体の出口端にあることが好ましい。
【００６６】
第１の制御スイッチは、２つのボタンを含むことが好ましい。
【００６７】
第４の態様により、本発明は、本体と、本体と流体連通する第１の端部及び電気器具内への主流体入口を含む第２の端部を有するハンドルとを含むヘアケア電気器具を提供し、主流体入口は、少なくとも部分的にハンドルの周りに延びる第１の開口と、ハンドルの第２の端部を通って延びる第２の開口とを含む。
【００６８】
電気器具の１つよりも多い面上に主流体入口を配置することは有利である。従来のヘアドライヤーでは、主流体入口は、一般的にヘアドライヤーの後端上に位置付けられ、閉塞を防止するためにその端部は凸面であることが多い。ヘアドライヤーの後端が硬い面上に置かれた場合に、それは、横に転がることになる。
【００６９】
しかし、寝具類又は長パイルカーペットのような軟い面上では、入口は、依然として少なくとも部分的に覆われるか又は塞がれる。これは、モーターの過熱をもたらす可能性がある。１つよりも多い面上に入口を有することにより、モーターの損傷を引き起こすほど十分なあらゆる閉塞の機会がより少なくなる。
【００７０】
ハンドルは、第２の端部に端壁を含み、第２の開口は、端壁を通って延びることが好ましい。
【００７１】
端壁は、実質的にハンドルと直交することが好ましい。
【００７２】
第１の開口は、ハンドルの第２の端部に隣接することが好ましい。
【００７３】
ファンユニットは、主流体入口の上流であることが好ましい。
【００７４】
第１の開口は、少なくとも部分的にハンドルの周りに延びる複数の開口を含むことが好ましい。
【００７５】
第１の開口は、少なくとも部分的にハンドルに沿って延びる複数の開口を含むことが好ましい。
【００７６】
第２の開口は、ハンドルの端を通って延びる複数の開口を含むことが好ましい。
【００７７】
ファンユニットへ電力を供給するための電力ケーブルが設けられ、電力ケーブルは、ハンドルの端部を通って延びることが好ましい。電力ケーブルは、主流体入口で実質的にハンドルの中心を通って延びることが好ましい。第２の開口は、少なくとも部分的に電力ケーブルの周りに延びることが好ましい。
【００７８】
主流体流路は、主流体入口からハンドルを通り、本体内に入り、主流体出口まで設けられることが好ましい。
【００７９】
ハンドルは、壁と、壁内で延びる主流体流路とを含むことが好ましい。ハンドルは外壁を含み、外壁は、壁の周りにかつ部分的に壁に沿って延びることが好ましい。ハンドルは、外壁と壁の間に絶縁材料の層を含むことが好ましい。
【００８０】
主流体出口は、少なくとも部分的に本体に沿ってかつその周りに延びる複数の開口を含むことが好ましい。
【００８１】
主流体流路は、実質的に直線状にハンドルを通って本体に入ることが好ましい。
【００８２】
これに代えて、ハンドルは、実質的に本体と直交することが好ましい。
【００８３】
主流体流路は、本体内で流体流路を取り囲むことが好ましい。
【００８４】
主流体出口は、流体流路の周りに延びることが好ましい。
【００８５】
第５の態様により、本発明は、壁と外壁とを含むハンドルを含むヘアケア電気器具を提供し、壁は、主流体入口から電気器具内まで延びる主流体流路を形成し、外壁は、電気器具の外部壁である。
【００８６】
二重層壁を設けることにより、ハンドル内から伝達する振動及びノイズが減少する。二重層壁は、ハンドルの内部構成要素を外壁から隔離する。
【００８７】
外壁は、壁の周りに実質的に連続して延びることが好ましい。外壁は、実質的に壁に沿って延びることが好ましい。
【００８８】
絶縁層は、電気器具で発生するノイズ、振動、及び熱のうちの１つ又はそれよりも多くを軽減することが好ましい。絶縁材料は、発泡体又はフェルトであることが好ましい。
【００８９】
ハンドルは、第１の端部及び第２の端部を含み、主流体入口は、第２の端部に又はその近くにあることが好ましい。
【００９０】
ハンドルは、主流体入口内へ引き込まれる流体を加熱するための加熱器を含むことが好ましい。加熱器は、ファンユニットの下流であることが好ましい。加熱器は、ハンドルの第１の端部に隣接して配置されることが好ましい。
【００９１】
電気器具は、ハンドルに取り付け可能なヘッドを含み、ヘッドは、電気器具のための主流体出口を含むことが好ましい。主流体出口は、少なくとも部分的にヘッドに沿ってかつその周りに延びる複数の開口を含むことが好ましい。主流体流路は、実質的に直線状にハンドルを通ってヘッドに入ることが好ましい。
【００９２】
これに代えて、主流体入口から主流体出口までの主流体流路は、非直線状である。主流体は、ハンドル内で第１の方向に流れ、本体内で第２の方向に流れることが好ましい。本体内の主流体流れは、実質的にハンドル内の主流体流れと直交することが好ましい。
【００９３】
流体流路内の流体は、主流体流路内にあるファンユニットの作用によって本体の中に同伴されることが好ましい。
【００９４】
第６の態様により、本発明は、本体と、本体を通って流体入口から流体出口まで延びる流体流路と、流体流路の周りに延びるＰＣＢとを含むヘアケア電気器具を提供する。
【００９５】
ＰＣＢは、環状であることが好ましい。ＰＣＢは、流体流路から隔離されることが好ましい。
【００９６】
ＰＣＢは、第１層及び第２層を含むことが好ましい。第１層は、流体流路の周りに実質的に連続して延びることが好ましい。第２層は、部分的に流体流路の周りに延びることが好ましい。
【００９７】
第２層は、第１層に隣接することが好ましい。第２層は、第１層の下流であることが好ましい。ＰＣＢは、少なくとも部分的にダクトの周りに延びることが好ましい。
【００９８】
主流体流路は、ＰＣＢと流体連通することが好ましい。加熱器は、ＰＣＢの下流であることが好ましい。
【００９９】
ＰＣＢと加熱器の間に熱障壁を設けることが好ましい。熱障壁は、ＰＣＢと加熱器の間に流体的に位置付けられることが好ましい。
【０１００】
電気器具は、ハンドルを含み、ハンドルは、本体へ第１の端部で接続されて本体から延び、主流体入口は、ハンドル内にあることが好ましい。
【０１０１】
ハンドルは、流体を主流体流路の中に引き込むためのファンユニットを含むことが好ましい。
【０１０２】
ハンドルは、第１の端部に対して遠位の第２の端部を含み、第２の端部は、主流体入口を含むことが好ましい。
【０１０３】
主流体流路は、ハンドルに沿って本体内に入って主流体出口まで至るように延びることが好ましい。
【０１０４】
主流体流路は、非直線状であることが好ましい。
【０１０５】
主流体流路は、ハンドル内でほぼ円形であることが好ましい。
【０１０６】
主流体流路は、本体内でほぼ環状であることが好ましい。
【０１０７】
主流体流路が本体に入る場所に、流れ板を設けることが好ましい。本体は、ハンドルからの流れを本体内へ向ける流れ板を含むことが好ましい。
【０１０８】
流れ板は、ダクトの周りの主流れを円形流れから環状流れに偏向することが好ましい。
【０１０９】
主流体は、ハンドル内を第１の方向に流れ、本体内を第２の方向に流れることが好ましい。流れ板は、主流れを第１の方向から第２の方向に向けることが好ましい。
【０１１０】
流れ板は、主流体流路に設けて流れをハンドル内の円形流れから本体内の環状流れへ向けることが好ましい。流れ板は、ＰＣＢに隣接することが好ましい。
【０１１１】
流れ板は、ＰＣＢ上の構成要素の周りに成形されることが好ましい。
【０１１２】
流れ板は、主流れをハンドル内の第１の流れ方向から本体内の第２の流れ方向へ偏向することが好ましい。ファンユニットは、ＰＣＢの上流であることが好ましい。
【０１１３】
第７の態様により、本発明は、本体と、加熱器と、ＰＣＢと、主流体入口から電気器具内に入って本体の主流体出口まで延びる主流体流路とを含むヘアケア電気器具を提供し、ＰＣＢ及び加熱器は、主流体流路と流体連通し、ＰＣＢは、加熱器の上流であることが好ましい。
【０１１４】
ファンユニットが設けられ、ファンユニットは、加熱器の上流であることが好ましい。
【０１１５】
これに代えて、ファンユニットが設けられ、ファンユニットは、ＰＣＢの下流であることが好ましい。
【０１１６】
熱障壁は、ＰＣＢと熱的に接続され、ＰＣＢのためのヒートシンクとして機能することが好ましい。熱障壁は、アルミニウム又はアルミニウム合金であることが好ましい。
【０１１７】
本体は、加熱器の上流にハンドル部分を含むことが好ましい。主流体入口は、ハンドル部分内にあることが好ましい。主流体流路は、本体を通って直線状に延びることが好ましい。
【０１１８】
流れ板は、少なくとも１つの開口を含むことが好ましい。好ましくは、少なくとも１つの開口は、流体を流れ板を通ってＰＣＢへ流すことができる。
【０１１９】
流れ板は、ＰＣＢに接続することが好ましい。流れ板は、ＰＣＢのためのヒートシンクとして作用する。流れ板は、これに加えて、主流体流れをＰＣＢの周りに向けることが好ましい。
【０１２０】
流れ板は、これに加えて、ＰＣＢのための熱障壁、ヒートシンク、及び偏向板のうちの１つ又はそれよりも多くであることが好ましい。
【０１２１】
主流れが本体に入る場所には、比較的高速の流れの領域があることが好ましい。
【０１２２】
ＰＣＢは、基板から異なる量によって外向きに延びる構成要素を含み、これらの構成要素は、基板からより遠くまで延びる構成要素が、比較的高速の空気流れから半径方向に離れるように配置されることが好ましい。基板からより遠くまで延びる構成要素の少なくとも一部は、コンデンサであることが好ましい。
【０１２３】
好ましくは、基板から延びる距離が短い構成要素は、比較的高速の流れの領域に位置決めすることができる。
【０１２４】
熱障壁は、これに加えて、ＰＣＢからのデブリを主流体流路及び主流体出口から偏向する偏向板であることが好ましい。
【０１２５】
第７の態様により、本発明は、本体と、電気構成要素が装着されたＰＣＢと、少なくとも部分的に本体を通って延びてＰＣＢを通過する主流体流路とを含むヘアケア電気器具を提供し、主流体流路は、比較的高速の領域及び比較的低速の領域を有し、ＰＣＢ上に装着された構成要素は、より大きい構成要素が比較的低速の領域にあるように配置される。
【０１２６】
電気器具は、本体へ第１の端部で接続されたハンドルを含み、主流体流路は、ハンドルを通って本体の中に延びることが好ましい。
【０１２７】
主流体流路は、ハンドル内で第１の方向に延び、本体内で第２の方向に延びることが好ましい。
【０１２８】
本体は、ほぼ管状であって上側半分及び下側半分を有し、ハンドルは、下側半分に接続することが好ましい。比較的高速の領域は、本体の下側半分にあることが好ましい。比較的低速の領域は、本体の上側半分にあることが好ましい。
【０１２９】
ＰＣＢのより大きい構成要素は、本体の上側半分に位置付けることが好ましい。ＰＣＢのより小さい構成要素は、本体の下側半分に位置付けることが好ましい。ＰＣＢのより大きい構成要素は、それらが装着された回路基板から最も遠くまで延びる構成要素であることが好ましい。
【０１３０】
第８の態様により、本発明は、ハンドルと外壁及びダクトを有する本体とを含むヘアケア電気器具を提供し、外壁は、ダクトの周りに延び、外壁は、ダクトに向けて収束する。
【０１３１】
外壁は、第１の部分及び第２の部分を有し、第１の部分は、管状であることが好ましい。
【０１３２】
第１の部分は、実質的に直径が均一であることが好ましい。
【０１３３】
第２の部分は、円錐形状であることが好ましい。
【０１３４】
外壁の第２の部分は、ダクトに向けて１°から８９°の間の角度で収束することが好ましい。
【０１３５】
外壁の第２の部分は、ダクトに向けて３０°から６０°の間の角度で収束することが好ましい。
【０１３６】
電気器具は、主流体入口から主流体出口まで至る主流体流路へ流体を引き込むためのファンユニットを含むことが好ましい。
【０１３７】
本体は、一端に主流体出口を含み、外壁は、ダクトに向けて主流体出口に向けて収束することが好ましい。
【０１３８】
本体は、第１の端部及び第２の端部を有し、外壁は、本体の第２の端部でダクトに向けて収束することが好ましい。
【０１３９】
電気器具は、主流体流路と流体連通する主流体入口を有するハンドルを含むことが好ましい。
【０１４０】
流体は、流体を主流体流路へ引き込むためのファンユニットの作用によって流体流路の中に同伴されることが好ましい。
【０１４１】
主流体流路は、流体流路の周りに延びることが好ましい。
【０１４２】
ここで以下に添付図面を参照して本発明を単に一例として説明する。
【図面の簡単な説明】
【０１４３】
【図１】本発明によるヘアドライヤーの異なる態様を示す図である。
【図２】本発明によるヘアドライヤーの異なる態様を示す図である。
【図３】本発明のヘアドライヤーを通る断面図である。
【図４ａ】図３の断面図の各部分の拡大図である。
【図４ｂ】図３の断面図の各部分の拡大図である。
【図５】本発明によるヘアドライヤーの部品の異なる図である。
【図６】本発明によるヘアドライヤーの部品の異なる図である。
【図７】本発明によるヘアドライヤーの部品の異なる図である。
【図８ａ】代替的なヘアケア電気器具を通る断面図である。
【図８ｂ】代替的なヘアケア電気器具の斜視図である。
【図９】本発明によるヘアドライヤーの異なる図である。
【図１０】本発明によるヘアドライヤーの異なる図である。
【図１１ａ】図１の線Ｍ−Ｍに沿った上部断面図である。
【図１１ｂ】図１の線Ｌ−Ｌに沿った上部断面図である。
【図１２ａ】本発明によるヘアドライヤーの本体の様々な内部構成要素の図である。
【図１２ｂ】本発明によるヘアドライヤーの本体の様々な内部構成要素の図である。
【図１２ｃ】本発明によるヘアドライヤーの本体の様々な内部構成要素の図である。
【図１３】ヘアドライヤーから流出する流体のパラメータを変更するための付属品６００を有するヘアドライヤー１０の様々な図である。
【図１４ａ】ヘアドライヤーから流出する流体のパラメータを変更するための付属品６００を有するヘアドライヤー１０の様々な図である。
【図１４ｂ】ヘアドライヤーから流出する流体のパラメータを変更するための付属品６００を有するヘアドライヤー１０の様々な図である。
【図１５】ヘアドライヤーから流出する流体のパラメータを変更するための付属品６００を有するヘアドライヤー１０の様々な図である。
【図１６】ヘアドライヤーから流出する流体のパラメータを変更するための付属品６００を有するヘアドライヤー１０の様々な図である。
【図１７ａ】ヘアドライヤーの本体の外壁の部分断面図である。
【図１７ｂ】ヘアドライヤーの本体の外壁の部分断面図である。
【発明を実施するための形態】
【０１４４】
図１及び図２は、ハンドル２０及び本体３０を含むヘアドライヤー１０を示している。ハンドルは、本体３０へ接続された第１の端部２２と、本体３０から遠く離れかつ主入口４０を含む第２の端部２４とを有する。ヘアドライヤー１０には、ケーブル５０を通じて電力が供給される。
【０１４５】
本体３０は、第１の端部３２及び第２の端部３４を有し、２つの部分を有すると考えられる。第１の端部３２から延びる第１の部分３６は、管状でほぼ一定の直径とされ、第２の端部３４から延びる第２の部分３８は、第１の部分３６に結合している。第２の部分３８は、円錐形状を有し、本体３０の第１の部分３６の直径から本体の第２の端部３４のより小さい直径へと直径がその長さに沿って変化する。この例では、第２の部分３８は一定の勾配を有し、本体３０の第１の部分３６の外壁３６０に対する角度αは約４０°である。
【０１４６】
ここで特に図２、図３、図４ａ、及び図４ｂを参照すると、ハンドル２０は、本体３０からハンドルの遠位端２４まで延びる外壁２００を有する。ハンドルの遠位端２４では、端壁２１０が外壁２００を横切って延びる。この端壁２１０を貫通してケーブル５０がハンドドライヤー内に入っている。ハンドル２０の主入口４０は、ハンドルの外壁２００の周りにかつそれに沿って４２延びる第１の開口と、ハンドル２０の端壁２１０を横切って４６かつそれに通って延びる第２の開口とを有する。ケーブル５０は、端壁２１０のほぼ中央に位置付けられ、従って、ハンドル２０の中心から延びる。端壁２１０は、ハンドルの外壁２００及び内壁２２０と直交している。
【０１４７】
ケーブル５０は、ハンドル２０の中心から延びることが好ましく、これは、ユーザが保持したハンドル２０の向きに関係なくヘアドライヤーが平衡を保つことを意味するからである。これに加えて、ユーザがハンドル２０上で彼ら／彼女らの手の位置を変えても、移動した位置に対するケーブルの位置は変わらず、ケーブル５０から強く引っ張られないからである。ケーブルが芯ずれしてハンドルの一方の側により近くなれば、ヘアドライヤーの重量分布が向きと共に変化し、それはユーザを動転させる。
【０１４８】
主入口４０の上流には、ファンユニット７０が設けられる。ファンユニット７０は、ファン及びモーターを含む。ファンユニット７０は、主入口４０から流体を引き込み、流体は、主入口４０から本体３０まで延びた流体流路４００を通って本体３０に向かい、ハンドル２０と本体３０が接合される場所９０で本体３０に入る。流体流路４００は、本体の第２の端部３４に向けて本体３０を通って続き、加熱器８０を取り囲み、主流体出口４４０へ至るように続き、ファンユニットによって引き込まれた流体は、主流体出口で主流体流路４００から出る。主流体流路４００は、非直線状であり、ハンドル２０を第１の方向に貫流し、本体３０を第１の方向と直交する第２の方向に貫流している。
【０１４９】
本体３０は、外壁３６０及び内側ダクト３１０を含む。主流体流路４００は、本体に沿ってハンドル２０と本体３０の接合部９０から外壁３６０とダクト３１０の間を本体３０の第２の端部にある主流体出口４４０へ向けて延びる。
【０１５０】
本体には、別の流体流路が設けられ、この流れは、ファンユニット又は加熱器によって直接処理されず、ファンユニットの作用によってヘアドライヤー内へ引き込まれ、ヘアドライヤーを通る主流れを生成する。流体流れは、主流体流路４００を流通する流体によってヘアドライヤーの中に同伴される。
【０１５１】
本体の第１の端部３２は、流体入口３２０を含み、本体の第２の端部３４は、流体出口３４０を含む。流体入口３２０及び流体出口３４０は、両方とも本体３０の内壁であり、本体内でかつこれに沿って延びる内側ダクト３１０によって少なくとも部分的に形成される。流体流路３００は、ダクト内で流体入口３２０から流体出口３４０まで延びる。本体３０の第１の端部３２において、側壁３５０が外壁３６０と内側ダクト３１０の間を延びる。この側壁３５０は、流体入口３２０を少なくとも部分的に形成する。本体の第２の端部３４には、外壁３６０とダクトの間に間隙３７０が設けられ、間隙３７０は、主流体出口４４０を形成する。主流体出口４４０は、環状であり、流体流路を取り囲む。主流体出口４４０は、内側にあることができ、そうすれば主流体流路４００は、本体３０内で流体流路３００と合流することができる。これに代えて、主流体出口４４０は、外側にあり、流体出口３４０で流体流路３００からの流体とは別々に本体から出る。
【０１５２】
本体の外壁３６０は、ダクト３１０及び本体３０の中心線Ａ−Ａに向けて収束する。ダクト３１０に向けて収束する外壁３６０を有することにより、主流体出口４４０から出る主流れが本体３０の中心線Ａ−Ａに向けられる利点がある。流体が主流体出口４４０から出ると、流体の運動に起因して、ヘアドライヤーの外側から何らかの流体の外部同伴４９０が生じる。この効果は、ダクト３１０に向けて収束する外壁３６０によって強まる。これは、部分的には、主流れが発散ではなく集束するからであり、部分的には、本体３０の外壁３６０がヘアドライヤーの第２の端部３４に向けて傾斜しているからである。
【０１５３】
ダクト３１０は、ヘアドライヤーの外側からアクセス可能なヘアドライヤーの内部壁である。従って、ダクト３１０は、ヘアドライヤーの外部壁である。ダクト３１０は、外壁３６０とダクト３１０の間を接続する側壁３５０が外壁３６０に対して角度を成すように、本体３０内の凹所に置かれる。角度βは、本体３０の外壁３６０で決まる線から約１１５°である（図４ｂ）。
【０１５４】
ヘアドライヤーのための制御電子機器を含むＰＣＢ７５が、本体３０内で側壁３５０及び流体入口３２０の近くに位置付けられる。ＰＣＢ７５は、リング形状を有し、ダクト３１０と外壁３６０の間でダクト３１０の周りに延びる。ＰＣＢ７５は、主流体流路４００と流体連通している。ＰＣＢ７５は、流体流路３００の周りに延び、ダクト３１０によって流体流路３００から隔離される。
【０１５５】
ＰＣＢ７５は、加熱器８０の温度及びファンユニット７０の回転速度のようなパラメータを制御する。内部配線（図示しない）が、ＰＣＢ７５を加熱器８０及びファンユニット７０及びケーブル５０へ電気的に接続している。制御ボタン６２、６４が設けられてＰＣＢ７５に接続され、ユーザは、例えば、温度設定値及び流量の範囲を選択可能である。
【０１５６】
使用時に、流体は、ファンユニット７０の作用によって主流体流路４００内へ引き込まれ、任意的に加熱器８０によって加熱され、主流体出口４４０から出る。この処理された流れにより、流体が流体入口３２０で流体流路３００の中に同伴される。流体は、処理された流れと本体３０の第２の端部３４で合流する。図３に示す例では、処理された流れは、同伴された流れを取り囲む環状流れが流体出口３４０を通ってヘアドライヤーから出る時に主流体出口４４０及びヘアドライヤーから出る。従って、ファンユニット及び加熱器によって処理された流体は、同伴された流れによって増強される。
【０１５７】
図５から図７は、全て、ヘアドライヤー１０を形成する異なる部分の分解組立図である。ネジのような外部固定具が必要になる２つの外側部分を有する従来のクラムシェルヘアドライヤーの代わりに、このヘアドライヤーは、そのような外部固定具を必要とすることなく作られる。
【０１５８】
第１のピースは、主入口４０及びケーブル５０を含むハンドル２０の外壁２００である。第２のピースは、本体３０のダクト３１０及び側壁３５０を含む。第３のピースは、本体３０の外壁３６０とハンドル２０の内壁２２０とである。第２及び第３のピースは、１つのユニットとして製造される。これには２つの利点があり、第１に、それによって本体３０のダクト３１０と外壁３６０の間に厳しい精度を再現することができ、第２に、本体３０に見苦しい接合部がない。これら３つの主要構成要素からヘアドライヤーを製造することにより、ヘアドライヤーの機能及び形態の両方が容易に維持される。これに加えて、安全態様が存在し、その理由は、エンドユーザが、通常の家庭用工具を用いてヘアドライヤーを分解するのは困難であることを見出すと考えられるからである。
【０１５９】
本体３０の外壁３６０及びハンドル２０の内壁２２０を含む第３のピースは、プラスチック材料から１つのピースユニットとして成形される。ダクト３１０及び側壁３５０を含む第２のピースは、同様にプラスチック材料から成形される。適切なプラスチック材料には、ポリカーボネート、ガス充填ＰＰＡ（ポリフタルアミド）、ＰＰＳ（ポリフェニレンサルファイド）、ＬＣＡＰ（液晶芳香族ポリマー）、又はＰＥＥＫ（ポリエーテルエーテルケトン）が含まれ、当業者は、このリストが網羅的ではないことを認めるであろう。ハンドル２０の外壁２００は、いくつかの適切な材料のいずれかで作ることができるが、アルミニウム、アルミニウム合金、鋼、又はステンレス鋼で作ることが好ましい。
【０１６０】
ヘアドライヤーの内部構成要素を組み立てるために、ハンドル２０の内壁２２０にアクセスハッチ２２２が設けられる。それによってファンユニット７０が位置決めされ、ファンユニット７０、加熱器８０、制御ボタン６２、６４、及びＰＣＢ７５をケーブル５０に接続する配線が容易にかつ相対的な速度で接続される。加熱器８０及びＰＣＢ７５は、本体３０へ挿入されたダクト３１０の周りに位置付けられ、配線が接続され、アクセスハッチ２２２は、ハンドル２０の内壁２２０の対応する穴２２４の上に置かれる。側壁３５０が、本体３０の第１の端部３２を密封している。それによって２つのことの両方、すなわち、本体の第１の端部３２で主流体流路４００の中に同伴される流体及びファンユニット７０によって処理される流体が、第１の端部３２で本体３０から出ることが阻止される。
【０１６１】
図５、図６、及び図７に関連して示した例において、ハンドル上のボタン６２は、流体出口３４０に対面するハンドルの側部上にある。
【０１６２】
アクセスハッチ２２２は、電気構成要素への配線接続を可能にするのに十分な大きいサイズとする必要があり、ハンドルの周りのどの場所にあってもよい。ハッチは、内壁２２０の全長にわたって延びることができ、内壁２２０の周りにあらゆる向きで位置付け可能である。
【０１６３】
ここで特に図３、図４Ａ及び図５から図７を参照してハンドルの構成を説明する。ハンドル２０は、外壁２００及び内壁２２０を有する。内壁２２０は、ヘアドライヤーを通る主流体流路４００を取り囲みかつ形成するダクトである。外壁２００は、把持可能な部分を有し、この例では、主流体流路４００への主入口４０を有する。内壁２２０内には、絶縁材料層２１２が設けられる。絶縁層は、発泡体又はフェルトであり、ファンユニット７０が発生するノイズ、ヘアドライヤーの作動が発生する熱、ファンユニットが引き起こす振動、及び主流体流路４００を通る流体流れがヘアドライヤー内に発生するノイズからハンドルを絶縁する。
【０１６４】
これに代えて又はこれに加えて、絶縁材料層２１２は、外壁２１０と内壁２２０の間に設けられる。これは、図８ａに関連して説明する。
【０１６５】
少なくとも、絶縁材料２１２は、ファンユニット７０の周りに、好ましくはアクセスハッチ２２２の周りに位置決めされる。しかし、絶縁材料２１２は、内壁２２０の周りに実質的に連続してハンドルの長さにわたって延びることが好ましく、それは、これがハンドルの絶縁に最も影響するからである。また、絶縁材料２１２は、主入口４０の周りに延びて、主流体流路４００内へ引き込まれる流体が直接発生する全てのノイズを低減することができる。
【０１６６】
この例では、外壁２００は主流体入口４０を含むが、外壁が内壁２２０の全長にわたって延びることは必須ではない。外壁２００は、アクセスハッチ２２２及びファンユニット７０を収容するハンドルの領域にわたって延びる必要があり、これは、絶縁の目的、並びに審美的及び安全上の理由により、アクセスハッチ２２２を隠してユーザがアクセスするのを防ぐためである。外壁２００が内壁２２０の全長にわたって延びない場合に、内壁２２０は、本体３０との接合部９０から離れたその遠位端に入口４０を含むか、又は外壁２００及び／又は内壁２２０に取り付け可能な個別の入口本体を設けることができる。
【０１６７】
外壁２００は、内壁２２０に対して位置決めされた後に、所定位置に固定される。外壁２００は、例えば、プラズマ溶接によって固定され、その理由は、ユーザの取り外し、従って、敏感な構成要素へのアクセスが防止され、かつきれいな接合部が提供されるからである。
【０１６８】
図８ａ及び図８ｂは、同様の主入口５４０を有する代替的なヘアケア電気器具を示している。この例では、ヘアケア電気器具は、高温整髪ブラシ５００であり、それは、ハンドル５２０と、主入口５４０から離れたハンドル５２０の遠位端５２２に取り付け可能なヘッド５３０とを含む。
【０１６９】
ハンドル５２０は、ほぼ管状で一端５２４にかつその周りに主入口５４０を含む外壁５２６を有する。主入口５４０は、ハンドル５２０の周りで放射状にかつハンドル端５２４からハンドルの外壁５２６に沿って延びる第１組の開口５４４を含む。ハンドル端５２４は、貫通する第２組の開口５４６が同様に開けられたハンドルの端壁５１０によって覆われる。従って、主入口５４０は、ハンドル５２０の周りにそれに沿ってかつそれを横切って延びる。端壁５１０は、ハンドルの外壁５２６及び内壁５６０と直交している。
【０１７０】
また、ハンドル５２０は、ファンとファンを作動するモーターとを含むファンユニット５７０を含み、使用時に、モーターは、主入口５４０からハンドル５２０の長さを貫通する流体流路５５０に沿って流体を引き込む。流体は、ヘッド５３０の内側空洞５３８に入る前に加熱器５８０によって任意的に加熱される。
【０１７１】
ヘッド５３０は、この例では２組の平行なスロット５３４を含む流体出口を含み、各スロットは、第１組のスロット５３４ａが第２組のスロット５３４ｂの上流の状態でヘッドの端部５３６に向けてかつヘッド５３０の周りに放射状に延びる。この構成により、流体は、ヘッドの周りの至る所で及びヘッド５３０の長さの大部分にわたってヘッドから出ることができ、製品の整髪領域が最大化される。
【０１７２】
また、ヘッド５３０は、半径方向にヘッド５３０から遠ざかるように延びる剛毛５３２を含む。剛毛５３２は、ヘッドの周りに放射状に延びる平行線として形成される。剛毛の各組は、２つの隣接するスロット５３４間に位置付けられるが、剛毛は、スロットの全ての対の間に設ける必要はない。
【０１７３】
使用時に、毛髪は、ヘッド５３０の周りに巻き付けられる。剛毛５３２は、温かい空気又は流体がスロットを通って出て、毛髪を乾燥させ、毛髪をカール又はウェーブに整える間にわたって毛髪を保持する。
【０１７４】
電力は、プラグ又は他の電源からハンドル５２０の端壁５１０を通って延びることが好ましい電力ケーブル５４８を通じて電気器具に供給される。また、ハンドル５２０は、ケーブル５４８、ファンユニット５７０、及び加熱器５８０へ内部配線（図示しない）によって電気的に接続したＰＣＢ５７５を収容する。制御ボタン５５５が設けられてＰＣＢ５７５に接続され、ユーザが温度範囲及び流量設定値のうちの一方を選択することを可能にする。制御ボタン５５５は、例えば、プッシュボタン又はスライドボタンである。
【０１７５】
ハンドル５２０は、外壁５２６及び内壁５６０を有する。内壁５６０は、電気器具を通る流体流路５５０を取り囲みかつ形成するダクトである。外壁５２６は、把持可能な部分を有し、これらの例では、流体流路５５０への主入口５４０を有する。外壁５２６と内壁５６０の間には、絶縁材料層５２８が設けられる。絶縁層は、発泡体又はフェルトであり、ファンユニット５７０が発生するノイズ、電気器具の作動が発生する熱、ファンユニットが引き起こす振動、及び流体流路５５０を通る流体流れが電気器具内に発生するノイズからハンドルを絶縁する。
【０１７６】
少なくとも、絶縁材料がファンユニット５７０の周りに位置決めされる。しかし、絶縁材料５２８は、ハンドルの外壁５２６と内壁５６０の間で実質的に連続して、かつ内壁５６０の長さにわたって延びることが好ましく、その理由は、これがハンドルの絶縁に最も影響するからである。また、絶縁材料５２８は、主入口５４０の周りに延びて、流体流路５５０内へ引き込まれる流体が直接発生するあらゆるノイズを低減することができる。
【０１７７】
主入口４０、５４０は、ハンドル２０、５２０の周りにそれに沿ってかつそれを横切って延びる複数の開口を含む。３次元方向に延びる入口を有することは、特に毛髪手入れ電気器具で使用する場合に利点が得られる。第１に、電気器具が、電源オンしている間に表面に置かれた時に、塞がれるか又は電気器具内への流体の流れを制約するのは入口表面積の単に小さい部分である。それは、ファンユニット、特に、ファンユニットのモーターが少な過ぎる流量で作動し、そのためにモーターが過熱して損傷することを防止する。
【０１７８】
第２に、ヘアケア電気器具は、ムース、ゲル、又はスプレーのような整髪製品と共に使用することが多い。これらの製品は、一般的に、手によって又は直接ミストとして毛髪に適用される。手によって適用した後に、製品の一部が皮膚上に残り、それは、その後に保持した電気器具へ移る。これは、ハンドル２０、５２０を取り囲みかつそれに沿って延びる開口４２、５４４の少なくとも一部を塞ぐことがある。しかし、ハンドルの下側にありかつハンドルの端壁２１０、５１０を横切って延びる開口４４、５４６は影響されない。製品がミストとして適用される時に、それは、電気器具にたまり、この場合も主入口４０、５４０の開口の少なくとも一部を塞ぎ又は制約する。しかし、ハンドル２０、５２０の周りに沿ってかつそれを横切って延びる開口を有することにより、主入口４０、５４０が塞がれる危険は減少する。
【０１７９】
開口は、円形であり、直径が０．２から１．６ｍｍであることが好ましい。開口の直径は、ハンドル２０、５２０の周りにそれに沿ってかつそれを横切って変えることができる。これらの開口を主入口４０、５４０の周りにそれに沿ってかつそれを横切って一定間隔で離間させることが有利である。これは、視覚的に満足することができるのみならず、一部分の閉塞の可能性がより大きくなり又は主入口４０、５４０への流れによって影響すると考えられる主入口４０、５４０の脆弱領域が存在しないという技術的利点を有する。入口は、少なくともハンドル２０、５２０の円周の周りでは入口への流れが均一になるように設計される。
【０１８０】
ハンドルは、金属材料から作ることが好ましく、そうすれば、ハンドルに付着して主出口４０、５４０を塞ぐあらゆる整髪製品は、容易に除去され、いずれかの開口を一時的に塞ぐに過ぎない。
【０１８１】
ここで図９及び図１０を参照すると、ヘアドライヤー１０は、２組の制御ボタン６２、６４を含む。第１組６２は、ハンドル２０上に設け、第２組６４は、本体３０上に設ける。２組の制御ボタン６２、６４は、それらが全て１本の指によってアクセス可能であるように位置付けられることが有利である。通常の使用では、この指は親指であるが、ヘアドライヤーの持ち方が異なる場合に、それは、親指以外の指になることがある。第１組６２は、ハンドル２０上に設けられ、ハンドル２０に対して本体入口３２０と同じ側にある。第２組６４は、本体３０の側壁３５０上に設けられる。一例として、第１組６２は、電源ボタン６２ａ及びコールドショットボタン６２ｂを含むことができ、第２組６４は、加熱器制御ボタン６４ａ及び流れ制御ボタン６４ｂを含むことができる。
【０１８２】
ボタンをヘアドライヤーの一方の側又は端部に位置付けした１つの利点として、ユーザが全ての制御ボタン６２、６４を同時に目視可能であり、ヘアドライヤーの使用及び流量及び温度のようなパラメータの変更を単純にすることが挙げられる。
【０１８３】
別の利点として、制御電子機器がハンドル２０の１つの領域にあることが挙げられる。これは、主流路４００がハンドルを通る場合に特に有利であり、その理由は、ハンドルの周りに前面まで、すなわち、ヘアドライヤーの出口３４０、４４０に対面するハンドルの側まで経路指定される配線がないからである。
【０１８４】
第３の利点は、第２組の制御ボタン６４をＰＣＢ７５上に直接装着したことである。それによってヘアドライヤー内の電気的接続部が少ないので、ヘアドライヤーの生産が単純化されるのみならず、信頼性が改善する。
【０１８５】
制御ボタン６２、６４は、押圧可能ボタン、摺動可能制御器、又は別の作動式制御器の混合とすることができる。制御ボタン６２、６４は、それらが位置付けられた表面に真っ直ぐに立つことが好ましく、その理由は、ユーザが感触のみで必要なボタンを見つけられるからである。
【０１８６】
ここで特に図３、図４ｂ、図１１ａ、図１１ｂ、図１２ａ、図１２ｂ、及び図１２ｃを参照してＰＣＢ７５を以下に説明する。ＰＣＢ７５は、環形状又はリング形状を有し、ダクト３１０の周りに及びダクト３１０と外壁３６０の間を延びる。この例では、ＰＣＢは、２枚の基板、すなわち、ダクト３１０の周囲の全体に延びる第１の基板７５ａと、第１の基板７５ａに隣接してかつ下流の第２の基板７５ｂとを有する。第２の基板７５ｂは、ダクト３１０の周りに及び本体３００の周囲に部分的に延びるのみである。
【０１８７】
ＰＣＢ７５は、いくつかの異なる構成要素を収容し、各構成要素は、それを装着した基板から各々異なる量によって離れて延びる。特に図３、図４ｂ、図１２ａ、図１２ｂ、及び図１２ｃを参照すると、コンデンサのような大きい構成要素７７は、第２の基板７５ｂから半径方向に離れて第１の基板７５ａ上に位置決めされる。それによっていくつかの利点が得られ、例えば、ＰＣＢ７５は、可能な限り小型にすることができ、その理由は、より小さい構成要素又は装着した基板からの隔たりが最小のものは二重に積み重ねて、一方、より大きい構成要素又は装着した基板からの隔たりが最大のものは一重に積み重ねるからである。
【０１８８】
ＰＣＢ７５上のこの構成による別の利点は、主流体流路４００がハンドル２０から本体３０へ移る時の主流体流路内の流体の流量管理である。図３、図４ｂ、図１２ｂ、及び図１２ｃを参照すると、ハンドル２０はほぼ管状であり、主流体流路４００は、ハンドル２０と本体３０の間の接合部９０に入る時にほぼ円形である。このポイントで、主流体流路４００は、本体のダクト３１０と外壁３６０との間でダクト３１０の周りに方向が９０°だけ変わり、かつ円形流れから環状流れになる。これらの変化は、主流体流路４００内の流速に影響を及ぼす。
【０１８９】
本体３０が、その長さに沿って延びる中心線Ａ−Ａに関してほぼ対称であることを考えると、ダクト３１０と外壁３６０は、ダクト３１０と外壁３６０の間に位置付けられた加熱器８０と同様に同心である。主流体流路４００内の流体は、本体３０とハンドル２０の間の接合部９０に到達した時に方向及び形状の両方を変える必要がある。それによって本体３０内の接合部９０の近くに高速流れの領域、及び本体３０内の接合部９０から半径方向に離れて低速流れの領域が発生する。本体３０が上側半分３８０及び下側半分３９０を有し、上側半分３８０は、ハンドル２０から半径方向に離間し、下側半分３９０は、本体３０とハンドル２０の間に接合部９０を含むことを考えると、下側半分３９０は、上側半分３８０よりも比較的高速の流れを有する。
【０１９０】
ＰＣＢ７５は、より大きい構成要素７７が、上側半分３８０内の比較的高速の領域から半径方向に離れた比較的低速の流れに位置付けられ、結果的にヘヤードライヤ内での流速に対するそれらの影響が低減するように向けられる。二重層７５ａ、７５ｂＰＣＢは、下側半分３９０に位置付けられ、このようにするのは、ＰＣＢ７５のこの部分が主流体流路４００内へより少なく延びるからである。
【０１９１】
これに加えて、主流体流路４００内で流れをＰＣＢ７５の上にかつその周りに曲げるか又は向けるように流れ板７００が設けられ、ＰＣＢの場所及び本体３０に入る時の主流体流路４００の方向の変化に起因するあらゆる圧力損失を更に最小にする。流れ板７００は、環状であり、主流体流路４００の向き又は方向を滑らかに変化させる湾曲部分７１０（図３、図４ｂ、図１１ａ、図１１ｂ、図１２ａ、図１２ｂ、及び図１２ｃ）を有する。曲面７１０を設けることにより、流れがコーナの周りに向けられ、方向の直交変化によって発生するノイズが低減し、かつ流体の圧力損失又は速度損失が低減する。流れ板７００全体を曲げることができるが、曲面７１０を有する本体３０の下側半分３９０内に位置付けられた流れ板７００の一部を有するに過ぎない場合でも利益が得られる。
【０１９２】
流れ板７００は、ＰＣＢ７５に隣接し、有利な態様において、接続ブリッジ７２０を通じてＰＣＢ７５に接続される。流れ板７００は、導電材料、好ましくはアルミニウム又はその合金のような金属材料から作られ、それによってこのブリッジ７２０は、ＰＣＢの構成要素から熱を奪い、その熱を流体流路を貫流する流体へそれが流れ板７００を通る時に伝導するＰＣＢ７５のためのヒートシンクを提供する。
【０１９３】
これに加えて、流れ板７００は、ＰＣＢ７５のための熱障壁及び熱障壁上に装着された感温構成要素として役立つ。加熱器８０は、本体３０とハンドル２０とＰＣＢ７５の間の接合部９０の下流で本体３０内に位置付けられ、流体が主流体流路４００を貫流する時に、すなわち、ヘアドライヤーが電源オンにされた時に、加熱器８０が発生する熱の全部でなければ大部分は、主流体出口４４０に取られることになる。しかし、ヘアドライヤーが電源オフにされるか又は待機状態の時に、加熱器は、残りの熱を放出し、それは上流及び下流の両方に放射され、それによって理想的なことに流れ板が同様にＰＣＢ７５のための熱障壁として作用する。
【０１９４】
流れ板７００は、流体流路４００内の流体からＰＣＢ７５を密封せず、むしろ、流れ板７００と本体３０の間の開口部７３０（特に図４ｂ）を通って又は流れ板内のスロット７４０（図１２ａ）を通って流体がＰＣＢ７５の周りに流れることを可能にする。
【０１９５】
流れ板７００は、別の機能を有する。ＰＣＢ７５上のコンデンサのような１つ又はそれよりも多くの構成要素が故障した場合に、流れ板７００は、偏向板として機能し、偏向板は、構成要素故障からのいずれのデブリ及び／又は電解質をも偏向して側壁３５０の方へ戻し、かつデブリ及び／又は電解質が主流体流路４００に入って加熱器８０及び主流体出口４４０に達するであろうことを防止する。
【０１９６】
図１３から図１６は、ヘアドライヤーから流出する流体のパラメータを変更するための付属品６００を有するヘアドライヤー１０の様々な図である。付属品６００は、栓６１０及び外壁６６０を含む。栓６１０と外壁６６０の間で、付属品流体入口６３０から付属品流体出口６４０まで付属品流体流路６２０が延びる。外壁６６０の上流端６６０ａでは、磁性材料のリング６６２が設けられる。磁性材料のリング６６２は、外壁６６０の上流端６６０ａの上流面６６４の凹所に置かれ又はそこに埋められる。
【０１９７】
ヘアドライヤー１０は、その第２の端部３４で端壁３６２の周りに放射状に離間したいくつかの磁石３６４を含む（図３及び図４ａ）。端壁３６２は、本体３０の外壁３６０の半径方向内向きに延びる。これらの磁石３６４は、付属品６００をアドライヤー１０へ装着した時に磁性材料のリング６６２と結合する。
【０１９８】
これに代えて、ヘアドライヤー１０の端壁３６２は、磁性材料のリングを含むことができ、付属品は、周囲に放射状に離間したポイント磁石、又は別の磁性材料のリングを含むことができる。磁気的接続部の１つの部分のみを磁化する必要があり、他は磁化された部分へ磁気的に引きつける必要があるに過ぎない。
【０１９９】
ヘアドライヤーと付属品の間の磁気的接続部を使用すれば、特にダクト３１０によって形成された内側穴３００と穴の周りに延びる構成要素７７、８０とを有するこのタイプのヘアドライヤー１０に使用した場合に、いくつかの利点が得られる。本体３０の長さに沿ってヘアドライヤー１０のダクト３１０と外壁３６０の間の間隔及びこの間隔を維持することが重要である。仮に本体３０内でダクト３１０が一方の側に押された場合に、加熱器８０は損傷すると考えられ、流体流れが危険に曝され、外壁３６０上に高温箇所が現れるであろう。従って、付属品を取り付けて取り外す時に、ヘアドライヤー１０上に余分な応力及び歪を導入しないことが重要である。従来使用される付属品のプッシュ及びスナップ装着、並びに摩擦嵌め手段は、これを行うことができると考えられる。しかし、磁性付属品は、既知の力で均一な位置決めを提供する。これに加えて、製品が落下し又は衝突する場合に、２つの部分を引きつける磁性力は、少なくとも付属品をスナップで外せるレベルの力に設定可能である。
【０２００】
磁石間の力は、いくつかの方法で操作することができる。個別の又はポイント磁石を使用することは、１つの方法である。磁性材料のリングは代替である。これは、鉄のような磁性材料の固いリングであるか、又はエポキシ樹脂のような適切な基体内に成形された磁性材料の薄片を含むことができる。材料のリングは、ヘアドライヤーの端壁に完全に露出し、部分的に露出し、又は背後に隠すことができる。図１７ａ及び図１７ｂを参照して２つの代替的構成を説明する。両方の選択肢は、本体の外壁３６０の半径方向内向きに延びる端壁３６２を有する。図１７ａは、外壁の前面３６２の内面３６２ａに係合する第１の脚７１０と、第１の脚７１０から端壁３６２の外面に向けて延びる第２の脚７２０とを有する磁性材料のＬ字形リング７００を示している。第２の脚７２０は、外面と同一平面内にあってもよい。図１７ｂは、代替的な構造を示し、磁性材料のリング７３０が、端壁３６２の内面３６２ａに対して位置決めされ、端壁３６２の背後に完全に隠れている。
【０２０１】
付属品６００の磁性材料のリング６６２は、同様に、上流面６６４に完全に露出され、部分的に露出され、又は完全に隠すことができる。完全に又は部分的に露出された磁性部分が使用された時に、磁性付属品７００、６６２の両方の部分は、それぞれの上流面６６４の端壁３６２と同一平面内にあることが好ましい。これに代えて、磁石の２つの部分は、機械的及び磁気的に係合する形状とすることができる。例えば、それぞれの端壁及び上流面の１つの引っ込んだ磁石及び１つの直立部、又は段付き面を磁石に対して具備することによるものである。
【０２０２】
磁石が露出した実施形態において、磁石は、ＰＴＦＥのような傷防止コーティング７２２（図１７ａ）で覆うことが好ましい。それによって電気器具の本体に対して付属品が合わせ面を損傷することなく回転するので有利である。
【０２０３】
図示の実施形態においてかつ特に図１３、図１４ａ及び図１４ｂを参照すると、付属品６００は、集中器ノズルであり、すなわち、それは流れを小さい領域内へ集中させる。ヘアドライヤーの主流体流路４００は、環状の主流体出口４４０を有し、それによって加熱された流体の表面積が比較的広くなる。付属品６００は、ほぼ矩形の付属品流体出口６４０を有し、矩形は、主流体出口４４０の直径と同様の長辺６７０（長辺はより大きくてもより小さくても良い）と、主流体出口４４０の直径及び長辺６７０よりも相当短い短辺６８０とを有する。集中器ノズル６００は、流れをより狭い領域にわたって集中させてユーザに向けた流れを提供する。付属品６００は、本体３０に対して回転可能であり、かつ本体３０に対してあらゆる向きに位置決めすることができるので、付属品からの流れは、水平方向、垂直方向、又はその間のあらゆる角度に向けることができ、ユーザは、乾燥に合わせて細かい制御ができる。
【０２０４】
図１３から図１６を参照すると、付属品６００をヘアドライヤー１０へ装着した時に、外壁６６０は、ヘアドライヤー外壁３６０の継続部を形成する。栓６１０は、円錐６１２及びベース６１４の２つの部分を有する。円錐６１２は、付属品６００内で延びて付属品流体出口６４０に向うポイント６１６を形成し、かつヘアドライヤーの主流体出口４４０からの流れを付属品流体出口６４０へ向ける。円錐６１２は、外壁６６０と共に付属品流体流路６２０の限界を定める。ベース６１４は、円錐６１２の上流にあり、ダクト３１０の端部内まで延びて緩やかな栓を形成することによって流体流路３００からの流れを制限する。付属品流体流路６２０は、ヘヤードライヤ１０の主流体出口４４０と流体連通し、それによって主流体流路４００からの流体は、付属品流体出口６４０から放出される。
【０２０５】
本発明をヘアドライヤー及び高温整髪ブラシに関して詳細に説明したが、本発明は、流体を引き込みかつ電気器具からのその流体の流出を誘導するあらゆる電気器具に適用可能である。
【０２０６】
電気器具は、加熱器と共に又は加熱器なしで使用することができ、高速の流体の流出の作用は、乾燥効果を有する。
【０２０７】
説明した付属品は集中付属品であったが、あらゆるノズル形状、大きさ、又はあらゆる機能を有する磁性付属品が可能である。
【０２０８】
電気器具を貫流する流体は、一般的に空気であるが、１つ又は複数の気体の異なる組合せとすることができ、かつ電気器具の性能と流出が向けられる目的、例えば、毛髪及びその毛髪の整髪に対する電気器具の影響とを改善する添加物を含むことができる。
【０２０９】
本発明は、以上の詳細説明に限定されない。当業者には変形が明らかであろう。
【０２１０】
本発明は、以下の形態を含む。
〔形態１〕
ヘアケア電気器具であって、
本体と、
流体流れが電気器具に入る流体入口から該流体流れを前記本体の前端から放出するための流体出口まで該本体を通って延びる流体流路と、
電気器具へ取り付けるための上流端を含み、電気器具から放出される流体の少なくとも１つのパラメータを調節するための付属品と、
を含み、
前記本体の前記前端及び前記付属品の前記上流端の一方又は両方が、少なくとも１つの磁石を含む、
ことを特徴とする電気器具。
〔形態２〕
前記本体の前記前端は、該本体の半径方向内向きに延びる端壁を含み、該端壁は、前記少なくとも１つの磁石を含むことを特徴とする形態１に記載の電気器具。
〔形態３〕
前記端壁は、該端壁の周りに放射状に離間した複数の磁石を含むことを特徴とする形態２に記載の電気器具。
〔形態４〕
ヘアケア電気器具であって、
本体と、
流体流れが電気器具に入る流体入口から該流体流れを前記本体の前端から放出するための流体出口まで該本体を通って延びる流体流路と、
電気器具へ取り付けるための上流端を含み、電気器具から放出される流体の少なくとも１つのパラメータを調節するための付属品と、
を含み、
前記本体の前端は、該本体の半径方向内向きに延びる端壁を含み、該端壁は、該端壁の周りに放射状に離間した複数の磁石を含み、前記付属品の前記上流端は、少なくとも１つ磁石を含む、
ことを特徴とする電気器具。
〔形態５〕
前記端壁は、該端壁の周りに延びる磁性材料のリングを含むことを特徴とする形態２に記載の電気器具。
〔形態６〕
前記端壁は、外面及び内面を含み、該外面は、電気器具の外部面であり、
前記少なくとも１つの磁石は、前記内面に隣接する、
ことを特徴とする形態２から形態５のいずれか１項に記載の電気器具。
〔形態７〕
前記少なくとも１つの磁石は、前記端面に埋め込まれることを特徴とする形態２から形態６のいずれか１項に記載の電気器具。
〔形態８〕
前記付属品の前記上流端は、端面と該端面の周りに放射状に離間した複数の磁石とを含むことを特徴とする形態１から形態７のいずれか１項に記載の電気器具。
〔形態９〕
前記付属品の前記上流端は、前記端面の周りに延びる磁性材料のリング含むことを特徴とする形態１から形態７のいずれか１項に記載の電気器具。
〔形態１０〕
前記磁石又は磁性材料は、磁性薄片を含むポリマーから作られることを特徴とする形態１から形態９のいずれか１項に記載の電気器具。
〔形態１１〕
前記磁石又は磁性材料の外部面が、傷防止コーティングで被覆されることを特徴とする形態１から形態１０のいずれか１項に記載の電気器具。
〔形態１２〕
主流体流れが電気器具に入る主流体入口から主流体出口まで前記本体を少なくとも部分的に通って延びる主流体流路を含むことを特徴とする形態１から形態１１のいずれか１項に記載の電気器具。
〔形態１３〕
ヘアケア電気器具であって、
本体と、
主流体流れが電気器具に入る主流体入口から主流体出口まで前記本体を少なくとも部分的に通って延びる主流体流路を含み、流体流れが電気器具に入る流体入口から該流体流れを該本体の前端から放出するための流体出口まで該本体を通って延びる流体流路と、
電気器具へ取り付けるための上流端を含み、電気器具から放出される流体の少なくとも１つのパラメータを調節するための付属品と、
を含み、
前記本体の前記前端及び前記付属品の前記上流端の一方又は両方が、少なくとも１つの磁石を含む、
ことを特徴とする電気器具。
〔形態１４〕
ハンドルを含み、
前記主流体入口は、前記ハンドルにある、
ことを特徴とする形態１２又は形態１３に記載の電気器具。
〔形態１５〕
ヘアケア電気器具であって、
本体と、
ハンドルと、
流体流れが電気器具に入る流体入口から該流体流れを前記本体の前端から放出するための流体出口まで該本体を通って延びる流体流路と、
主流体流れが電気器具に入る前記ハンドル内の主流体入口から主流体出口まで前記本体を少なくとも部分的に通って延びる主流体流路と、
電気器具へ取り付けるための上流端を含み、電気器具から放出される流体の少なくとも１つのパラメータを調節するための付属品と、
を含み、
前記本体の前記前端及び前記付属品の前記上流端の一方又は両方が、少なくとも１つの磁石を含む、
ことを特徴とする電気器具。
〔形態１６〕
前記ハンドルは、前記主流体流れを前記主流体入口を通して引き込むためのファンユニットを含むことを特徴とする形態１４又は形態１５に記載の電気器具。
〔形態１７〕
流体流れが、前記主流体出口が放出された流体によって前記流体流路を通して引き込まれることを特徴とする形態１６に記載の電気器具。
〔形態１８〕
前記本体は、該本体に少なくとも部分的に沿って延びるダクトを含むことを特徴とする形態１２から形態１７のいずれか１項に記載の電気器具。
〔形態１９〕
前記流体流路は、前記ダクト内で延びることを特徴とする形態１８に記載の電気器具。
〔形態２０〕
前記主流体流れは、前記ダクトの周りに延びることを特徴とする形態１８又は形態１９に記載の電気器具。
〔形態２１〕
前記本体は、外壁を含み、前記ダクトは、該外壁内で延びることを特徴とする形態１８から形態２０のいずれか１項に記載の電気器具。
〔形態２２〕
ヘアケア電気器具であって、
外壁及び該外壁内で延びるダクトを有する本体と、
流体流れが電気器具に入る流体入口から該流体流れを前記本体の前端から放出するための流体出口まで前記ダクト通って延びる流体流路と、
電気器具に取り付けるための上流端を含み、電気器具から放出される流体の少なくとも１つのパラメータを調節するための付属品と、
を含み、
前記本体の前記前端及び前記付属品の前記上流端の一方又は両方が、少なくとも１つの磁石を含む、
ことを特徴とする電気器具。
〔形態２３〕
前記付属品は、電気器具からの前記流体流れの放出を抑制するように構成されることを特徴とする形態１７から形態２２のいずれか１項に記載の電気器具。
〔形態２４〕
前記付属品は、前記流体流路に沿って前記流体出口までの流体流れの発生を抑制する手段を含むことを特徴とする形態１７から形態２３のいずれか１項に記載の電気器具。
〔形態２５〕
前記流体流れの発生を抑制する前記手段は、前記付属品が電気器具に取り付けられた時に前記ダクトを実質的に塞ぐ障壁を含むことを特徴とする形態２４に記載の電気器具。
〔形態２６〕
前記付属品は、前記主流体流れがノズルに入るノズル流体入口から該主流体流れを放出するためのノズル流体出口まで延びるノズル流体流路を形成するノズルの形態にあることを特徴とする形態１２から形態２５のいずれか１項に記載の電気器具。
〔形態２７〕
前記本体は、前記ダクトの周りに少なくとも部分的に延びる加熱器を含むことを特徴とする形態１８から形態２６のいずれか１項に記載の電気器具。
〔形態２８〕
前記加熱器は、環状であることを特徴とする形態２７に記載の電気器具。
〔形態２９〕
前記加熱器は、前記ダクトに沿って少なくとも部分的に延びることを特徴とする形態１８から形態２８のいずれか１項に記載の電気器具。
〔形態３０〕
前記付属品は、前記本体の前記前端での該本体のプロフィールに実質的に連続する外壁を有することを特徴とする形態１から形態２９のいずれか１項に記載の電気器具。
〔形態３１〕
前記本体は、該本体の前記前端に向けて直径が減少することを特徴とする形態３０に記載の電気器具。
〔形態３２〕
前記直径の減少は、一定の勾配を有することを特徴とする形態３１に記載の電気器具。
〔形態３３〕
電気器具であって、
本体と、
流体流れが電気器具に入る流体入口から該流体流れを前記本体の前端から放出するための流体出口まで該本体を通って延びる流体流路と、
含み、
前記本体の前記前端は、少なくとも１つの磁石を含む、
ことを特徴とする電気器具。
〔形態３４〕
前記本体の前記前端は、該本体の半径方向内向きに延びる端壁を含み、該端壁は、少なくとも１つの磁石を含むことを特徴とする形態３３に記載の電気器具。
〔形態３５〕
前記端壁は、該端壁の周りに放射状に離間した複数の磁石を含むことを特徴とする形態３４に記載の電気器具。
〔形態３６〕
前記端壁は、該端壁の周りに延びる磁性材料のリングを含むことを特徴とする形態３５に記載の電気器具。
〔形態３７〕
電気器具から放出される流体の少なくとも１つのパラメータを調節するための付属品であって、
前記電気器具に取り付けるための上流端、
を含み、
付属品の前記上流端は、少なくとも１つの磁石を含む、
ことを特徴とする付属品。
【符号の説明】
【０２１１】
３００  流体流路
４００  主流体流路
６００  付属品
６１６  ポイント
６６０ａ  上流端
【図１】
2020099758.tif 000003
【図２】
2020099758.tif 000004
【図３】
2020099758.tif 000005
【図４ａ】
2020099758.tif 000006
【図４ｂ】
2020099758.tif 000007
【図５】
2020099758.tif 000008
【図６】
2020099758.tif 000009
【図７】
2020099758.tif 000010
【図８ａ】
2020099758.tif 000011
【図８ｂ】
2020099758.tif 000012
【図９】
2020099758.tif 000013
【図１０】
2020099758.tif 000014
【図１１ａ】
2020099758.tif 000015
【図１１ｂ】
2020099758.tif 000016
【図１２ａ】
2020099758.tif 000017
【図１２ｂ】
2020099758.tif 000018
【図１２ｃ】
2020099758.tif 000019
【図１３】
2020099758.tif 000020
【図１４ａ】
2020099758.tif 000021
【図１４ｂ】
2020099758.tif 000022
【図１５】
2020099758.tif 000023
【図１６】
2020099758.tif 000024
【図１７ａ】
2020099758.tif 000025
【図１７ｂ】
2020099758.tif 000026